(57)【要約】【課題】高い精度でチケットのサイズを検出し、所定の基準を満たさないチケットの発行を回避できる発券装置を提供する。【解決手段】磁気媒体を繰り出す繰出部１１と、繰り出された磁気媒体を切り出して磁気情報の書かれていないチケットを生成するカッター部２と、チケットを搬送する搬送部３と、磁気情報の書かれていないチケットに磁気情報を書く磁気書込部５と、チケットに書かれた磁気情報を読む磁気読出部６と、磁気読出部が読んだ磁気情報に基づいて、チケットが所定の基準を満たすか否かを判定する判定部２１と、を備え、磁気書込部は、搬送部による搬送方向と交差するチケットの一辺から対辺まで、磁気情報として文字の間隔が定められた文字列を書き、判定部は、磁気読出部が読んだ文字列の文字数からチケットの長さを計算し、長さが所定の範囲内でない場合に、チケットが所定の基準を満たさないと判定する。【選択図】図１
2016076040.tif 000002
【特許請求の範囲】
【請求項１】
磁気媒体を繰り出す繰出部と、
繰り出された前記磁気媒体を切り出して磁気情報の書かれていないチケットを生成するカッター部と、
前記チケットを搬送する搬送部と、
磁気情報の書かれていない前記チケットに磁気情報を書く磁気書込部と、
前記チケットに書かれた磁気情報を読む磁気読出部と、
前記磁気読出部が読んだ磁気情報に基づいて、前記チケットが所定の基準を満たすか否かを判定する判定部と、を備え、
前記磁気書込部は、
前記搬送部による搬送方向と交差する前記チケットの一辺から対辺まで、磁気情報として文字の間隔が定められた文字列を書き、
前記判定部は、
前記磁気読出部が読んだ前記文字列の文字数から前記チケットの長さを計算し、前記長さが所定の範囲内でない場合に、前記チケットが前記所定の基準を満たさないと判定する、発券装置。
【請求項２】
前記チケットが前記所定の基準を満たさないと前記判定部が判定した場合に、前記長さが前記所定の範囲内となるように、前記繰出部が前記磁気媒体を繰り出す量を調整する調整部を更に備える、請求項１に記載の発券装置。
【請求項３】
前記磁気書込部は、
前記搬送方向に垂直な方向を上下方向として、前記チケットの上端部および下端部に前記文字列を書き、
前記判定部は、
前記磁気読出部が読んだ前記文字列の文字数が、上端部と下端部とで異なる場合に、前記チケットが前記所定の基準を満たさないと判定する、請求項１または２に記載の発券装置。
【請求項４】
前記磁気書込部は、前記文字列として、第１の文字と、前記第１の文字と異なる第２の文字とを交互に書く、請求項１から３のいずれか一項に記載の発券装置。
【発明の詳細な説明】
【技術分野】
【０００１】
本発明は、磁気媒体であるチケットを発行する発券装置に関する。
【背景技術】
【０００２】
例えば電車、地下鉄等の駅では自動改札装置が設けられている。自動改札装置は、チケット（乗車券）を取り込んで検査し、この検査の結果、チケットが適当であれば、利用者の通過を許可し、不適であれば利用者の通過を阻止する。
【０００３】
また、自動改札装置が例えば入場駅名等の印字を行うことがある。このような自動改札装置では、印字品質がチケットの送り速度の変化によって影響される。特許文献１は、自動改札装置において、過去の印刷情報を基に送り速度の適正化ができる技術を開示する。
【先行技術文献】
【特許文献】
【０００４】
【特許文献１】特開平８−８７６１０号公報
【発明の概要】
【発明が解決しようとする課題】
【０００５】
自動改札装置に対応するチケットは磁気媒体、すなわち表面に磁性体を塗布した記憶媒体であって、発券装置によって例えば購入駅名、有効区間、料金、券種等の磁気情報が書かれる。自動改札装置は磁気情報を読み取ってチケットが適当であるかを判定する。ここで、自動改札装置では、扱えるチケットのサイズが限られており、扱えないサイズのチケットは、一般に不適であると判定されて、利用者の通過が阻止される。
【０００６】
そのため、発券装置は、所定の基準を満たすチケット、すなわち自動改札装置等で扱うことができるサイズであるチケットを発行することが重要である。例えば、チケットの長さを測る方法としては、搬送されるチケットが背後からの光を遮る時間に基づいて計算する手法が従来から知られている。しかし、この方法では、光を検出するセンサの個体差や取り付け位置のずれ等に影響を受けやすい。
【０００７】
かかる事情に鑑みてなされた本発明の目的は、高い精度でチケットのサイズを検出し、所定の基準を満たさないチケットの発行を回避できる発券装置を提供することにある。
【課題を解決するための手段】
【０００８】
前記課題を解決するために本発明に係る発券装置は、磁気媒体を繰り出す繰出部と、繰り出された前記磁気媒体を切り出して磁気情報の書かれていないチケットを生成するカッター部と、前記チケットを搬送する搬送部と、磁気情報の書かれていない前記チケットに磁気情報を書く磁気書込部と、前記チケットに書かれた磁気情報を読む磁気読出部と、前記磁気読出部が読んだ磁気情報に基づいて、前記チケットが所定の基準を満たすか否かを判定する判定部と、を備え、前記磁気書込部は、前記搬送部による搬送方向と交差する前記チケットの一辺から対辺まで、磁気情報として文字の間隔が定められた文字列を書き、前記判定部は、前記磁気読出部が読んだ前記文字列の文字数から前記チケットの長さを計算し、前記長さが所定の範囲内でない場合に、前記チケットが前記所定の基準を満たさないと判定することを特徴とする。
【０００９】
また、本発明に係る発券装置において、前記チケットが前記所定の基準を満たさないと前記判定部が判定した場合に、前記長さが前記所定の範囲内となるように、前記繰出部が前記磁気媒体を繰り出す量を調整する調整部を更に備えることを特徴とする。
【００１０】
また、本発明に係る発券装置において、前記磁気書込部は、前記搬送方向に垂直な方向を上下方向として、前記チケットの上端部および下端部に前記文字列を書き、前記判定部は、前記磁気読出部が読んだ前記文字列の文字数が、上端部と下端部とで異なる場合に、前記チケットが前記所定の基準を満たさないと判定することを特徴とする。
【００１１】
また、本発明に係る発券装置において、前記磁気書込部は、前記文字列として、第１の文字と、前記第１の文字と異なる第２の文字とを交互に書くことを特徴とする。
【発明の効果】
【００１２】
本発明に係る発券装置によれば、高い精度でチケットのサイズを検出し、所定の基準を満たさないチケットの発行を回避できる。
【図面の簡単な説明】
【００１３】
【図１】本実施形態に係る発券装置の概略構成を示す図である。
【図２】本実施形態に係る発券装置のテスト動作について説明する図である。
【図３】本実施形態に係る発券装置の処理を説明するフローチャートである。
【図４】比較例の発券装置のチケットの長さの検出手法について説明する図である。
【発明を実施するための形態】
【００１４】
以下、本発明の実施形態について、図面を参照して説明する。
【００１５】
（発券装置の概略構成）
図１は、本発明の一つの実施形態に係る発券装置１の概略構成を示す図である。発券装置１は、繰出部１１と、カッター部２と、搬送部３と、磁気書込部５と、磁気読出部６と、制御部２０と、を備える。
【００１６】
繰出部１１は、表面に磁性体を塗布した紙（本発明の磁気媒体に対応）をロール状にしたロール紙１２を繰り出す。繰出部１１は、ロール紙１２の中心に設けられてロール紙１２を保持する軸と、軸を回転させるモータと、を備える。図１では、モータは繰出部１１およびロール紙１２の背後（紙面奥側）に配置されている。モータは制御部２０の調整部２２からの制御信号に従って回転する。そして、モータが回転することによって、繰出部１１の軸が回転するので、軸に保持されたロール紙１２が繰り出される。モータの回転量が大きくなると、ロール紙１２が繰り出される量も大きくなる。繰り出されたロール紙１２は、一対のガイドローラ７を介してカッター部２へと送られる。
【００１７】
カッター部２は、繰り出されたロール紙１２を切り出してチケット用紙４Ａを生成する。ここで、本実施形態の説明において、磁気情報が書かれる前のチケットをチケット用紙４Ａと表現する。また、磁気情報が書かれた後のものは、本実施形態において、チケット４Ｂと表現する。
【００１８】
本実施形態において、搬送部３は、チケット用紙４Ａおよびチケット４Ｂを図１の座標のｘ軸方向に搬送する。つまり、本実施形態において、搬送部３による搬送方向は図１のｘ軸の方向である。そして、通常の動作において、搬送部３はｘ軸正方向にチケット用紙４Ａおよびチケット４Ｂを搬送する。本実施形態において、搬送部３は複数のベルトコンベアで構成されている。
【００１９】
磁気書込部５は、搬送部３によって搬送されているチケット用紙４Ａに磁気情報を書いてチケット４Ｂを生成する。磁気書込部５は、磁気情報の書き込み用の磁気ヘッドで構成される。磁気書込部５は、通常の発券動作において、チケット用紙４Ａに、例えば購入駅名、有効区間、料金、券種等の磁気情報を書いてチケット４Ｂを生成する。また、磁気書込部５は、繰出部１１がロール紙１２を繰り出す量（以下、「ロール紙１２の繰り出し量」ともいう）を確認、調整するテスト動作において、チケット用紙４Ａに文字の間隔が定められた文字列である磁気情報を書いて、テスト用のチケット４Ｂを生成する。テスト動作の詳細については後述する。
【００２０】
磁気読出部６は、チケット４Ｂに書かれた磁気情報を読む。磁気読出部６は、磁気情報の読み出し用の磁気ヘッドで構成される。磁気読出部６は、通常の発券動作において、チケット４Ｂから発券内容が正しいか否かの判定に必要な磁気情報を読む。また、磁気読出部６は、テスト動作において、チケット４Ｂに書かれた文字の間隔が定められた文字列である磁気情報を読む。そして、磁気読出部６は読み取った磁気情報に基づく情報を制御部２０の判定部２１に出力する。
【００２１】
制御部２０は、判定部２１と、調整部２２と、記憶部２３と、を備える。制御部２０は、ハードワイヤードロジック回路により構成されるシーケンサ等であってもよいが、本実施形態では、記憶部２３に記憶されるプログラムに従って動作するコンピュータである。そして、記憶部２３に記憶されるプログラムが、コンピュータを、判定部２１および調整部２２として機能させる。なお、判定部２１および調整部２２の一部がハードワイヤードロジック回路で構成されてもよい。
【００２２】
判定部２１は、テスト動作において、磁気読出部６が読んだチケット４Ｂの磁気情報に基づいて、チケット４Ｂが所定の基準を満たすか否かを判定する。所定の基準が満たされるには、少なくともチケット４Ｂの長さが所定の範囲内である必要がある。ここで、チケット４Ｂの長さとは、搬送方向（ｘ軸の方向）と交差する一辺から対辺（向かい合う辺）までの長さであって、本実施形態ではチケット４Ｂの長手方向の幅（長辺の長さ）である（図２（ａ）参照）。なお、判定部２１は、通常の発券動作において、磁気読出部６で読んだ磁気情報に基づいて発券内容が正しいか否かの判定を行ってもよい。
【００２３】
調整部２２は、繰出部１１のモータを回転させる制御信号を生成し、ロール紙１２の繰り出し量を調整する。例えば繰出部１１がステッピングモータを有する場合、調整部２２は、制御信号のパルスの数の増減によってモータ回転量を変更し、ロール紙１２の繰り出し量を調整できる。調整部２２は、テスト動作において、判定部２１がチケット４Ｂの長さが所定の範囲内でない（所定の基準を満たさない）と判定した場合に、その長さが所定の範囲内となるようにロール紙１２の繰り出し量を調整する。
【００２４】
記憶部２３は、制御部２０の処理で必要な各種のデータおよびプログラムを記憶する。記憶部２３は、例えばメモリ、ハードディスク等で構成される。本実施形態において、記憶部２３は、少なくともコンピュータを判定部２１および調整部２２として機能させるプログラムと、ロール紙１２の繰り出し量のデータと、文字列の文字の間隔のデータと、を記憶する。
【００２５】
（テスト動作）
発券装置１は、自動改札装置等で扱うことができる適切なチケット４Ｂを販売する必要がある。本実施形態において、発券装置１は、チケット４Ｂの長さが所定の範囲内であって、磁気情報が所定の位置に書かれていることを、チケット４Ｂが満たすべき所定の基準と定める。そして、発券装置１は、チケット４Ｂが所定の基準を満たすことをテスト動作で確認する。テスト動作は、例えば発券装置１が駅の券売所に最初に設置されるとき、発券装置１のメンテナンスをするとき等に実行される。
【００２６】
図２（ａ）および図２（ｂ）は、本実施形態に係る発券装置１のテスト動作について説明する図である。図２（ａ）および図２（ｂ）の座標軸は、図１の座標軸と同じである。そして、図２（ａ）および図２（ｂ）は、発券装置１の平面図であって、発券装置１をｚ軸の正方向から負方向に向かって見ている。なお、図２（ａ）および図２（ｂ）において、図１と同じ要素には同じ符号を付して説明を省略する。
【００２７】
図２（ａ）に示されるように、テスト動作において磁気書込部５は、搬送方向（ｘ軸方向）と交差するチケット用紙４Ａの一辺から対辺まで、磁気情報として文字の間隔が定められた文字列を書いて、チケット４Ｂを生成する。本実施形態において、磁気書込部５は、デジタル信号である“０”および“１”をチケット用紙４Ａに書いてチケット４Ｂを生成する。磁気書込部５は、テスト動作における文字列として、“０”（本発明の「第１の文字」に対応）と、“１”（本発明の「第２の文字」に対応）とを交互に書く。“０”と“１”とが交互に出現する文字列は、他の磁気情報と容易に区別ができ、磁気読出部６が文字数をカウントすることを容易にする。なお、本実施形態において、この文字列の文字は“０”と“１”とであるが、他の互いに異なる２つの文字（例えば“００”と“１１”等）が用いられてもよい。
【００２８】
“０”と“１”との間隔は、例えば１［ｍｍ］であるが、この値に限定されない。後述するように、チケット４Ｂの長さは、書かれた“０”および“１”の数（本発明の文字列の文字数に対応）に基づいて計算される。そのため、磁気読出部６が“０”および“１”を正確に読み取れる範囲で、“０”と“１”との間隔をできるだけ小さくすることが、計算の精度向上の観点からは好ましい。
【００２９】
本実施形態において、磁気書込部５は、“０”と“１”とが交互に並んだ文字列を、チケット用紙４Ａの上端部および下端部に書く。ここで、チケット用紙４Ａ（およびチケット４Ｂ）の上下方向は、搬送方向（ｘ軸の方向）に垂直な方向であり、図２（ａ）のｙ軸の方向が対応する。本実施形態において、チケット４Ｂは長方形である。また、チケット４Ｂが搬送部３に正しく置かれている場合には、図２（ａ）に示されるように、チケット４Ｂの長辺がｘ軸に平行となる。そして、ｙ軸の正方向側の長辺がチケット４Ｂの上端であり、ｙ軸の負方向側の長辺がチケット４Ｂの下端である。
【００３０】
テスト動作において磁気読出部６は、チケット４Ｂに書かれた磁気情報、すなわち文字の間隔が定められた文字列を読む。磁気読出部６は、読み取った磁気情報に基づく情報を判定部２１に出力する。本実施形態において、磁気読出部６は上端部の文字列の文字数および下端部の文字列の文字数を判定部２１に出力する。なお、磁気読出部６は読み取った磁気情報をそのまま判定部２１に出力して、判定部２１が上端部および下端部の文字列の文字数をカウントしてもよい。
【００３１】
テスト動作において判定部２１は、磁気読出部６から受け取った上端部の文字列の文字数および下端部の文字列の文字数の情報に基づいて、チケット４Ｂが所定の基準を満たすか否かを判定する。判定部２１は、文字列の文字数が上端部と下端部とで等しいか否かによって、チケット４Ｂが搬送部３に正しく置かれているかを判定する。チケット４Ｂが搬送部３に正しく置かれていない場合、磁気書込部５による磁気情報の書き込みでずれが生じ、チケット４Ｂの磁気情報は所定の位置に書かれない。
【００３２】
図２（ｂ）は、チケット４Ｂの長辺が搬送方向（ｘ軸の方向）と平行でなく、チケット４Ｂが搬送部３に正しく置かれていない状態を図示する。図２（ｂ）の例では、チケット４Ｂの下端部について、部分的に文字列が書き込まれていない。一方、チケット４Ｂの上端部については、長辺と平行ではないが、チケット４Ｂの搬送方向と交差する一辺から対辺まで文字列が書き込まれている。そのため、文字列の文字数が上端部と下端部とで等しくならない。判定部２１は、文字列の文字数が、上端部と下端部とで異なる場合に、チケット４Ｂの磁気情報が所定の位置に書かれていないと判定する。すなわち、判定部２１は、チケット４Ｂが所定の基準を満たさないと判定する。
【００３３】
なお、上端部とはチケット４Ｂの上端に近い部分であり、下端部とはチケット４Ｂの下端に近い部分である。上端部および下端部の位置および範囲（別の言い方をすると、磁気書込部５が文字列を書く印字位置および印字範囲）は、チケット４Ｂの傾きがどの程度許容されるかによって決定される。例えば、チケット４Ｂの長辺のｘ軸に対する傾きが−２°〜＋２°の範囲ならば許容される、すなわち、チケット４Ｂの磁気情報が所定の位置に書かれていると扱われるとする。この場合、チケット４Ｂが、この範囲を超える傾きをもって搬送部３に置かれると、上端部または下端部の文字列の一部がチケット４Ｂに書きこまれなくなるように（文字列の文字数が上端部と下端部とで異なるように）、上端部および下端部の位置および範囲を決定するとよい。また、別の実施形態として、判定部２１は閾値を設定し、文字列の文字数について上端部と下端部との違いが閾値未満であれば、文字列の文字数が同じと扱ってもよい。例えば、閾値が「２」の場合、文字列の文字数が上端部と下端部とで１つ異なっていても、判定部２１は文字列の文字数が同じであると扱う。閾値についても、チケット４Ｂの傾きがどの程度許容されるかによって決定される。
【００３４】
ここで、再び図２（ａ）を参照する。図２（ａ）の例では、チケット４Ｂが搬送部３に正しく置かれており、文字列の文字数が、上端部と下端部とで同じである。このとき、判定部２１は、磁気情報が所定の位置に書かれていると判定し、次にチケット４Ｂの長さが所定の範囲内であるか否かを判定する。判定部２１は、記憶部２３から文字列の文字の間隔のデータを受け取る。そして、判定部２１は、文字列の文字の間隔と、上端部または下端部の文字列の文字数とに基づいて、チケット４Ｂの長さを計算する。例えば、文字列の文字（“０”および“１”）の間隔が１［ｍｍ］で、文字列の文字数が１０５であるとすると、チケット４Ｂの長さは１０５［ｍｍ］である。ただし、チケット４Ｂの短辺と文字列の両端の文字との間の余白が合計で１［ｍｍ］であるとする。
【００３５】
そして、判定部２１は、計算されたチケット４Ｂの長さが、所定の範囲内であるか否かを判定する。ここで、例えば所定の範囲が９８［ｍｍ］〜１０２［ｍｍ］であるとすると、計算で得られた１０５［ｍｍ］というチケット４Ｂの長さは所定の範囲内ではない。このとき、判定部２１は、チケット４Ｂが所定の基準を満たさないと判定する。そして、判定部２１は、その差分の情報（例えば３［ｍｍ］〜７［ｍｍ］長いという情報）を調整部２２に出力する。調整部２２は、その差分の情報に基づいて、ロール紙１２の繰り出し量を調整する。なお、本実施形態において、文字列の文字数が上端部と下端部とで等しく、かつ、チケット４Ｂの長さが所定の範囲内である場合に、判定部２１はチケット４Ｂが所定の基準を満たすと判定する。このとき、判定部２１は、所定の基準が満たされることを示すデータを調整部２２に出力し、調整部２２は、現在のロール紙１２の繰り出し量を適切な値として記憶部２３に記憶する。
【００３６】
（発券装置の処理）
図３は、本実施形態に係る発券装置１のテスト動作における処理を説明するフローチャートである。以下に説明する各処理は制御部２０からの指示に基づいて実行されるが、説明をわかりやすくするため、制御部２０の指示については説明を省略する。
【００３７】
ステップＳ１では、繰出部１１が、ロール紙１２を繰り出す。
【００３８】
ステップＳ２では、カッター部２が、繰り出されたロール紙１２を切り出して磁気情報の書かれていないチケット用紙４Ａを生成する。
【００３９】
ステップＳ３では、磁気書込部５の位置まで、搬送部３がチケット用紙４Ａを搬送する。
【００４０】
ステップＳ４では、磁気書込部５がチケット用紙４Ａに、文字の間隔が定められた文字列である磁気情報を書いて、テスト用のチケット４Ｂを生成する。本実施形態において、磁気書込部５は、チケット用紙４Ａの上端部および下端部に文字列を書く。
【００４１】
ステップＳ５では、磁気読出部６の位置まで、搬送部３がチケット４Ｂを搬送する。
【００４２】
ステップＳ６では、磁気読出部６がチケット４Ｂに書かれた磁気情報である文字列を読み出す。本実施形態において、磁気読出部６は、チケット４Ｂの上端部および下端部の両方の文字列を読む。
【００４３】
ステップＳ７では、磁気読出部６が文字列の文字数をカウントし、その情報を判定部２１に出力する。本実施形態において、磁気読出部６は、チケット４Ｂの上端部および下端部の文字列について、それぞれの文字数をカウントする。
【００４４】
ステップＳ１０では、判定部２１が、文字列の文字数がチケット４Ｂの上端部と下端部とで等しいか否かを判定する。文字数が上端部と下端部とで等しい場合（ステップＳ１０のＹＥＳ）、判定部２１は次にステップＳ２０の処理を実行する。文字数が上端部と下端部とで異なる場合（ステップＳ１０のＮＯ）、判定部２１は次にステップＳ１１の処理を実行する。
【００４５】
ステップＳ１１では、判定部２１が、チケット４Ｂが搬送部３に正しく置かれておらず、結果として磁気情報が所定の位置に書かれていないことについて警告する。例えば発券装置１が警告灯を備える場合、判定部２１が行う警告表示は、警告灯を点灯させることでもよい。また、例えば発券装置１がＬＣＤ等のディスプレイを備える場合、判定部２１が行う警告表示は、チケット４Ｂが搬送部３に正しく置かれるように発券装置１の調整を促すメッセージをディスプレイに表示させることでもよい。
【００４６】
ここで、ガイドローラ７、カッター部２、および搬送部３の少なくとも一つに、繰り出されたロール紙１２またはチケット用紙４Ａの位置を調整する機能が備わっていてもよい。このとき、ステップＳ１１では、判定部２１の警告表示に代えて、ロール紙１２またはチケット用紙４Ａの位置の調整が実行されてもよい。つまり、判定部２１から上端部と下端部との文字数の違い等の情報を受け取った調整部２２が、ガイドローラ７、カッター部２、および搬送部３の少なくとも一つに、ロール紙１２またはチケット用紙４Ａの位置を調整するように指示を与えてもよい。
【００４７】
ステップＳ１２では、磁気情報が所定の位置に書かれていないチケット４Ｂが破棄される。例えば、破棄されるチケット４Ｂは、図１の紙面右端（最もｘ軸正方向側）に位置する搬送部３のベルトコンベアで搬送される際に、通常とは逆向きのｘ軸負方向に搬送されて、破棄されるチケット４Ｂを貯める箱等に投入されてもよい。ステップＳ１２の後、発券装置１の処理はステップＳ１に戻る。つまり、チケット４Ｂが搬送部３に正しく置かれるようになったか否かを確認するために、再びテスト動作が最初から実行される。
【００４８】
ステップＳ２０では、判定部２１が、チケット４Ｂの長さが所定の範囲内か否かを判定する。上述の通り、判定部２１は、文字列の文字の間隔と、文字列の文字数とに基づいて、チケット４Ｂの長さを計算し、許容される長さの範囲に収まっている（所定の範囲内）か否かを判定する。チケット４Ｂの長さが所定の範囲内である場合（ステップＳ２０のＹＥＳ）、発券装置１はステップＳ２１の処理に進む。チケット４Ｂの長さが所定の範囲内でない場合（ステップＳ２０のＮＯ）、発券装置１はステップＳ２２の処理に進む。
【００４９】
ステップＳ２１では、調整部２２が、現在のロール紙１２の繰り出し量を適切な値として記憶部２３に記憶する。つまり、チケット４Ｂが所定の基準を満たすと判定部２１が判定したことを受けて、調整部２２が現在の設定を保存し、一連のテスト動作が終了する。
【００５０】
ステップＳ２２では、調整部２２がロール紙１２の繰り出し量を調整する。調整部２２は、判定部２１からチケット４Ｂが所定の基準を満たすために必要な情報（例えば、計算で得られたチケット４Ｂの長さと、許容される長さの範囲との差）を受け取り、その情報に基づいてロール紙１２の繰り出し量を調整する。ステップＳ２２の後に、チケット４Ｂが破棄されてから（ステップＳ１２）、発券装置１の処理はステップＳ１に戻る。つまり、調整部２２がロール紙１２の繰り出し量を正しく調整して、チケット４Ｂの長さが所定の範囲に収まるようになったか否かを確認するために、再びテスト動作が最初から実行される。
【００５１】
ここで、図４を参照して、比較例の発券装置１Ａを示しながら、本実施形態の発券装置１の効果について説明する。なお、図４において、図２（ａ）、図２（ｂ）と同じ要素には同じ符号を付して説明を省略する。
【００５２】
比較例の発券装置１Ａでは、チケット４Ｂの長さを、搬送されるチケット４Ｂが背後からの光を遮る時間に基づいて計算する。発券装置１Ａの搬送部３Ａには、発光ダイオード９からの光を透過させるためにスリット３Ｂが設けられている。そして、発券装置１Ａは、発光ダイオード９からの光を検出する光センサ８を備える。比較例の発券装置１Ａの判定部２１は、搬送されるチケット４Ｂが背後の光（発光ダイオード９からの光）を遮ることによって光センサ８が光を検出しなくなった時間に基づいて、チケット４Ｂの長さを計算する。
【００５３】
比較例の発券装置１Ａでは、光センサ８、発光ダイオード９、および搬送部３Ａのスリット３Ｂが必要である。一方、本実施形態に係る発券装置１では、これらの要素を必要とせず、通常の発券動作で用いられる磁気書込部５、磁気読出部６によってチケット４Ｂの長さを測ることができる。
【００５４】
また、比較例の発券装置１Ａのように光センサ８を用いる場合、光センサ８の個体差（例えば感度のばらつき）によって、測定されるチケット４Ｂの長さにばらつきが生じる可能性があった。しかし、本実施形態に係る発券装置１では、光センサ８が不要であり、このような問題は生じない。
【００５５】
さらに、比較例の発券装置１Ａでは、図４に示されるようにチケット４Ｂが搬送部３Ａに傾いて置かれているような場合、そのことを判定できないため、正しくないチケット４Ｂの長さが計算される可能性がある。一方、本実施形態に係る発券装置１は、チケット４Ｂが搬送部３に正しく置かれているかを判定できるため、チケット４Ｂの長さを誤って計算することはない。
【００５６】
本実施形態の発券装置１は、磁気書込部５が、チケット用紙４Ａの搬送方向と交差する一辺から対辺まで、磁気情報として文字の間隔が定められた文字列を書く。そして、判定部２１は、磁気読出部６が読んだ文字列の文字数からチケット４Ｂの長さを計算する。そのため、本実施形態の発券装置１は、光センサ８の個体差によるばらつき等の問題は生じず、高い精度でチケット４Ｂのサイズを検出可能である。そして、判定部２１は、チケット４Ｂの長さが所定の範囲内でない場合に、チケット４Ｂが所定の基準を満たさないと判定する。そのため、本実施形態の発券装置１は、所定の基準を満たさないチケット４Ｂの発行を回避できる。
【００５７】
本発明を図面および実施形態に基づき説明してきたが、当業者であれば本開示に基づき種々の変形または修正を行うことが容易であることに注意されたい。したがって、これらの変形または修正は本発明の範囲に含まれることに留意されたい。例えば、各ブロック、各ステップなどに含まれる機能などは論理的に矛盾しないように再配置可能であり、複数のブロックまたは複数のステップなどを１つに組み合わせたり、或いは分割したりすることが可能である。また、発券装置１が発行するチケット４Ｂは、電車、地下鉄等の乗車券に限られるものではなく、自動改札装置での使用を前提とするわけでもない。例えば、チケット４Ｂは、イベントの入場券であって、利用した施設で磁気情報が書き込まれるものであってもよい。そして、イベントの開催者が、機械を用いて入場券から施設利用に関する集計データを得るために、入場券のサイズや磁気情報の書き込み位置が厳密に規定されていてもよい。このような入場券の発券でも、本実施形態の発券装置１が利用可能である。
【符号の説明】
【００５８】
１    発券装置
１Ａ  発券装置
２    カッター部
３    搬送部
３Ａ  搬送部
３Ｂ  スリット
４Ａ  チケット用紙
４Ｂ  チケット
５    磁気書込部
６    磁気読出部
７    ガイドローラ
８    光センサ
９    発光ダイオード
１１    繰出部
１２    ロール紙
２０    制御部
２１    判定部
２２    調整部
２３    記憶部
【図１】
2016076040.tif 000003
【図２】
2016076040.tif 000004
【図３】
2016076040.tif 000005
【図４】
2016076040.tif 000006